(57)【要約】      （修正有）【課題】文字盤目盛や指針の数を増やさずに、ユーザーが判別しやすいように複数の情報を表示することができるウェアラブル端末装置を提供する。【解決手段】ウェアラブル端末装置は、筐体と、筐体に設けられ、文字盤目盛５５を有する文字盤５０と、第１の時計針１０と、第２の時計針２０と、第３の時計針３０と、第１の時計針１０、第２の時計針２０及び第３の時計針３０の回転を制御する処理部１１０と、測定値を取得する測定値取得部１２０と、を含む。そして、処理部１１０は、文字盤目盛５５において、測定値の下限値に対応する位置に第１の時計針１０を配置し、測定値の上限値に対応する位置に第２の時計針２０を配置し、測定値に対応する位置に第３の時計針３０を配置する制御を行う。【選択図】図１
2017078675.tif 000002
【特許請求の範囲】
【請求項１】
筐体と、
前記筐体に設けられ、文字盤目盛を有する文字盤と、
第１の時計針と、
第２の時計針と、
第３の時計針と、
前記第１の時計針、前記第２の時計針及び前記第３の時計針の回転を制御する処理部と、
測定値を取得する測定値取得部と、
を含み、
前記処理部は、
前記文字盤目盛において、前記測定値の下限値に対応する位置に前記第１の時計針を配置し、前記測定値の上限値に対応する位置に前記第２の時計針を配置し、前記測定値に対応する位置に前記第３の時計針を配置する制御を行うことを特徴とするウェアラブル端末装置。
【請求項２】
請求項１において、
前記第１の時計針は、
時針と分針の一方の針であり、
前記第２の時計針は、
前記一方の針とは異なる他方の針であり、
前記第３の時計針は、
秒針であることを特徴とするウェアラブル端末装置。
【請求項３】
請求項１又は２において、
前記測定値取得部は、
前記測定値として、生体検出情報、活動検出情報及び環境検出情報のうちの少なくとも１つの情報を取得することを特徴とするウェアラブル端末装置。
【請求項４】
請求項１乃至３のいずれかにおいて、
前記処理部は、
第１の測定値を表示する第１の表示モードと、第２の測定値を表示する第２の表示モードとの切り替え処理を行い、
前記第１の表示モードと前記第２の表示モードでは、前記文字盤目盛における前記第１の時計針及び前記第２の時計針の配置位置が異なることを特徴とするウェアラブル端末装置。
【請求項５】
請求項４において、
前記処理部は、
前記第１の表示モードでは、前記第１の測定値に対応する第１の測定範囲の下限値に対応する位置に前記第１の時計針を配置し、前記第１の測定範囲の上限値に対応する位置に前記第２の時計針を配置する制御を行い、
前記第２の表示モードでは、前記第２の測定値に対応する第２の測定範囲の下限値に対応する位置に前記第１の時計針を配置し、前記第２の測定範囲の上限値に対応する位置に前記第２の時計針を配置する制御を行うことを特徴とするウェアラブル端末装置。
【請求項６】
請求項４又は５において、
所与の回転軸の周りに回転可能な操作部材の回転操作を検出する検出部を含み、
前記処理部は、
前記検出部により、前記操作部材の前記回転操作が検出された場合に、前記第１の表示モードと前記第２の表示モードとの前記切り替え処理を行うことを特徴とするウェアラブル端末装置。
【請求項７】
請求項４乃至６のいずれかにおいて、
前記第１の表示モード及び前記第２の表示モードは、
高度表示モード、気圧表示モード、脈拍表示モード、歩数表示モード及び距離表示モードのうちのいずれか２つの表示モードであることを特徴とするウェアラブル端末装置。
【請求項８】
請求項１乃至７のいずれかにおいて、
前記文字盤目盛は、
前記文字盤の第１の範囲と第２の範囲とで、１目盛により表される数値の大きさが異なることを特徴とするウェアラブル端末装置。
【請求項９】
請求項１乃至８のいずれかにおいて、
前記文字盤目盛は、
前記文字盤に円状又は円弧状に配置されることを特徴とするウェアラブル端末装置。
【請求項１０】
請求項１乃至９のいずれかにおいて、
第４の時計針と、
前記第４の時計針に対応して設けられ、第２の文字盤目盛を有する第２の文字盤と、
を含み、
前記処理部は、
前記第２の文字盤の前記第２の文字盤目盛において、前記測定値に対応する位置に前記第４の時計針を配置する制御を行うことを特徴とするウェアラブル端末装置。
【請求項１１】
請求項１乃至１０のいずれかにおいて、
第４の時計針と、
前記第４の時計針に対応して設けられ、複数のアイコンが設けられたアイコン領域と、
を含み、
前記処理部は、
前記アイコン領域において、前記複数のアイコンのうち、選択されたアイコンに対応する位置に前記第４の時計針を配置する制御を行うことを特徴とするウェアラブル端末装置。
【発明の詳細な説明】
【技術分野】
【０００１】
本発明は、ウェアラブル端末装置等に関係する。
【背景技術】
【０００２】
近年、腕時計型端末装置等のウェアラブル端末装置（電子機器）は多機能化してきており、複数の機能の情報をうまく表示させる必要がある。複数の機能の情報を表示するウェアラブル端末装置としては、例えば機能毎に設けられた複数の文字盤目盛を有する腕時計型端末装置が公知である。また、特に液晶ディスプレイ等を採用していないアナログ時計では、例えば特許文献１において開示される発明のように、表示面に小窓を複数設けることで、同時に複数の情報を表示するものも知られている。
【先行技術文献】
【特許文献】
【０００３】
【特許文献１】特開２０１０−１０７３３３号公報
【発明の概要】
【発明が解決しようとする課題】
【０００４】
複数の文字盤目盛を表示面（文字盤）に設けたウェアラブル端末装置は、情報の読み取り易さに問題がある。例えば、針の下に複数の文字盤目盛がある場合には、針がどの文字盤目盛に対応する値を指し示しているのか判別し辛い。
【０００５】
また、最近ではウェアラブル端末装置に各種センサーを搭載した製品も多く、特許文献１において開示される発明のように、情報種類ごとに小窓を設けるという手法では対応することが困難な場合がある。例えば、ウェアラブル端末装置に多くのセンサーが搭載されており、各センサーの情報を小窓で表示すると、小窓の数が多くなり過ぎて、一つ一つの小窓の大きさが小さくなってしまう場合などである。また、小窓を設ける手法では、小窓に設けられた文字盤目盛が小さく、ユーザーが視認し辛いという問題もある。
【０００６】
本発明の幾つかの態様によれば、文字盤目盛や指針の数を増やさずに、ユーザーが判別しやすいように複数の情報を表示することができるウェアラブル端末装置等を提供することができる。
【課題を解決するための手段】
【０００７】
本発明の一態様は、筐体と、前記筐体に設けられ、文字盤目盛を有する文字盤と、第１の時計針と、第２の時計針と、第３の時計針と、前記第１の時計針、前記第２の時計針及び前記第３の時計針の回転を制御する処理部と、測定値を取得する測定値取得部と、を含み、前記処理部は、前記文字盤目盛において、前記測定値の下限値に対応する位置に前記第１の時計針を配置し、前記測定値の上限値に対応する位置に前記第２の時計針を配置し、前記測定値に対応する位置に前記第３の時計針を配置する制御を行うウェアラブル端末装置に関係する。
【０００８】
本発明の一態様では、文字盤目盛において、測定値の下限値に対応する位置に第１の時計針を配置し、測定値の上限値に対応する位置に第２の時計針を配置し、測定値に対応する位置に第３の時計針を配置する制御を行う。よって、文字盤目盛や指針の数を増やさずに、ユーザーが判別しやすいように複数の情報を表示することが可能となる。
【０００９】
また、本発明の一態様では、前記第１の時計針は、時針と分針の一方の針であり、前記第２の時計針は、前記一方の針とは異なる他方の針であり、前記第３の時計針は、秒針であってもよい。
【００１０】
これにより、時刻を表示するための第１の時計針、第２の時計針、第３の時計針を利用して、各種測定値を表示すること等が可能になる。
【００１１】
また、本発明の一態様では、前記測定値取得部は、前記測定値として、生体検出情報、活動検出情報及び環境検出情報のうちの少なくとも１つの情報を取得してもよい。
【００１２】
これにより、生体検出情報、活動検出情報及び環境検出情報のうちの少なくとも１つの情報を表示すること等が可能になる。
【００１３】
また、本発明の一態様では、前記処理部は、第１の測定値を表示する第１の表示モードと、第２の測定値を表示する第２の表示モードとの切り替え処理を行い、前記第１の表示モードと前記第２の表示モードでは、前記文字盤目盛における前記第１の時計針及び前記第２の時計針の配置位置が異なっていてもよい。
【００１４】
これにより、少なくとも２種類の情報の測定値を表示すること等が可能になる。
【００１５】
また、本発明の一態様では、前記処理部は、前記第１の表示モードでは、前記第１の測定値に対応する第１の測定範囲の下限値に対応する位置に前記第１の時計針を配置し、前記第１の測定範囲の上限値に対応する位置に前記第２の時計針を配置する制御を行い、前記第２の表示モードでは、前記第２の測定値に対応する第２の測定範囲の下限値に対応する位置に前記第１の時計針を配置し、前記第２の測定範囲の上限値に対応する位置に前記第２の時計針を配置する制御を行ってもよい。
【００１６】
これにより、第１の時計針と第２の時計針により、各測定値に適した測定範囲を表示すること等が可能になる。
【００１７】
また、本発明の一態様では、所与の回転軸の周りに回転可能な操作部材の回転操作を検出する検出部を含み、前記処理部は、前記検出部により、前記操作部材の前記回転操作が検出された場合に、前記第１の表示モードと前記第２の表示モードとの前記切り替え処理を行ってもよい。
【００１８】
これにより、ユーザーが、回転ベゼルやリューズを回転させる簡易な操作を行うことで、表示モードを切り替えること等が可能になる。
【００１９】
また、本発明の一態様では、前記第１の表示モード及び前記第２の表示モードは、高度表示モード、気圧表示モード、脈拍表示モード、歩数表示モード及び距離表示モードのうちのいずれか２つの表示モードであってもよい。
【００２０】
これにより、例えば高度、気圧、脈拍数、歩数及び移動距離のうち、少なくとも２つの測定値を表示すること等が可能になる。
【００２１】
また、本発明の一態様では、前記文字盤目盛は、前記文字盤の第１の範囲と第２の範囲とで、１目盛により表される数値の大きさが異なっていてもよい。
【００２２】
これにより、複数種類の測定値を共用の文字盤目盛で表示する場合でも、各測定値と測定範囲を読み取りやすくすること等が可能になる。
【００２３】
また、本発明の一態様では、前記文字盤目盛は、前記文字盤に円状又は円弧状に配置されていてもよい。
【００２４】
これにより、時針、分針及び秒針の構成を通常の時計と大きく変更することなく、測定値と測定範囲を表示すること等が可能になる。
【００２５】
また、本発明の一態様では、第４の時計針と、前記第４の時計針に対応して設けられ、第２の文字盤目盛を有する第２の文字盤と、を含み、前記処理部は、前記第２の文字盤の前記第２の文字盤目盛において、前記測定値に対応する位置に前記第４の時計針を配置する制御を行ってもよい。
【００２６】
これにより、ユーザーが、第１の時計針〜第３の時計針により時刻を確認しつつ、同時に他の測定値の数値を確認すること等が可能になる。
【００２７】
また、本発明の一態様では、第４の時計針と、前記第４の時計針に対応して設けられ、複数のアイコンが設けられたアイコン領域と、を含み、前記処理部は、前記アイコン領域において、前記複数のアイコンのうち、選択されたアイコンに対応する位置に前記第４の時計針を配置する制御を行ってもよい。
【００２８】
これにより、ユーザーが、第１の時計針〜第３の時計針により時刻を確認しつつ、同時に他の情報を確認すること等が可能になる。
【図面の簡単な説明】
【００２９】
【図１】本実施形態のシステム構成例の説明図。
【図２】腕時計型端末装置の具体的な構成例の説明図。
【図３】時刻表示モードの説明図。
【図４】脈拍表示モードの説明図。
【図５】気圧表示モードの説明図。
【図６】高度表示モードの説明図。
【図７】方位表示モードの説明図。
【図８】計測時間表示モードの説明図。
【図９】本実施形態の変形例のシステム構成例の説明図。
【図１０】アイコン領域に昼夜を示すアイコンを表示するモードの説明図。
【図１１】アイコン領域に天候を示すアイコンを表示するモードの説明図。
【図１２】アイコン領域に音楽の再生状態を示すアイコンを表示するモードの説明図。
【図１３】アイコン領域に脈拍数の大きさを示すアイコンを表示するモードの説明図。
【図１４】本実施形態の変形例の他のシステム構成例の説明図。
【図１５】第２の文字盤目盛で高度を表示するモードの説明図。
【図１６】第２の文字盤目盛で計測時間を表示するモードの説明図。
【発明を実施するための形態】
【００３０】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３１】
１．概要
本実施形態のウェアラブル端末装置は、ユーザーが判別しやすいように複数の情報を表示する。ウェアラブル端末装置としては、例えば後述する図２に示すような腕時計型端末装置が挙げられる。
【００３２】
本実施形態の腕時計型端末装置は、後述する図４に示すように、例えば時針ＨＮと、分針ＭＮと、秒針ＳＮと、文字盤目盛ＶＭを有する文字盤と、リューズＲＳとを有している。そして、腕時計型端末装置のユーザー（装着者）がリューズＲＳを操作することにより、時間以外の情報を表示するモードに設定することができる。例えば図４の例では、脈拍数を表示するモードに設定されている。この場合には、時針ＨＮが脈拍数の測定範囲の上限値を指し示し、分針ＭＮが脈拍数の測定範囲の下限値を指し示し、秒針ＳＮが脈拍数の測定値を指し示している。そして、ユーザーは、文字盤目盛ＶＭにおいて、時針ＨＮと分針ＭＮを視認することにより、測定範囲を読み取ることができ、文字盤目盛ＶＭのうち、読み取った測定範囲に注目することができる。そして、ユーザーは、測定範囲内のいずれかの値を指し示す秒針ＳＮを視認することにより、脈拍数の測定値を読み取ることができる。
【００３３】
また、ユーザーがさらにリューズＲＳを操作することにより、例えば図６に示すように、時間と脈拍数以外の情報を表示するモードにも設定することができる。図６の例は、標高を表示するモードに設定した例である。この例においては、時針ＨＮが標高の測定範囲の上限値を指し示し、分針ＭＮが標高の測定範囲の下限値を指し示し、秒針ＳＮが標高の測定値を指し示している。図４と図６では、表示する情報の種類が異なるため、測定範囲が異なり、時針ＨＮが指し示す測定範囲の上限値と、分針ＭＮが指し示す測定範囲の下限値とが異なる。
【００３４】
このように、本実施形態のウェアラブル端末装置は、表示する情報の種類に適した測定範囲を時針ＨＮと分針ＭＮにより指し示し、秒針ＳＮにより指し示される測定値をユーザーが読み取りやすいようにする。よって、本実施形態のウェアラブル端末装置は、文字盤目盛や指針の数を増やさずに、ユーザーが判別しやすいように複数の情報を表示することができる。
【００３５】
２．システム構成例
次に、図１に、本実施形態のウェアラブル端末装置（腕時計型端末装置、電子機器）１００の構成例を示す。本実施形態のウェアラブル端末装置１００は、図１に示すように、筐体７０（図２に図示する）と、筐体７０に設けられ、文字盤目盛５５を有する文字盤５０と、第１の時計針１０と、第２の時計針２０と、第３の時計針３０と、処理部１１０と、測定値取得部１２０と、を含む。また、ウェアラブル端末装置１００は、検出部１３０と、操作部材１５０とを含んでいても良い。操作部材１５０は、例えば回転ベゼル１５１と、リューズ１５２と、を含む。なお、ウェアラブル端末装置１００は、図１の構成に限定されず、これらの一部の構成要素を省略したり、他の構成要素を追加したりするなどの種々の変形実施が可能である。例えば、ウェアラブル端末装置１００は、不図示の記憶部等を有していてもよい。
【００３６】
また、図２に示すように、例えばウェアラブル端末装置１００が腕時計型端末装置である場合には、腕時計型端末装置１００は、筐体７０と、筐体７０に取り付けられるバンド部８０と、を有する。筐体７０は、腕時計型端末装置１００の本体部に相当する部材であり、回転ベゼル１５１及びリューズ１５２等の操作部材１５０や、文字盤５０が設けられる。また、筐体７０は、処理部１１０や測定値取得部１２０等を内蔵していてもよく、例えば処理部１１０が実装される基板（回路基板）を内部に含んでいてもよい。バンド部８０は、図２に示すように、例えばユーザー（装着者）の手首などに巻き付けて、腕時計型端末装置１００を固定する。
【００３７】
次に、ウェアラブル端末装置１００の各部について説明する。
【００３８】
第１の時計針１０と、第２の時計針２０と、第３の時計針３０は、例えば同一の所与の軸を回転軸として回転可能な時計針（指針）である。例えば、図３に示すように、第１の時計針１０は、時針ＨＮと分針ＭＮの一方の針であり、第２の時計針２０は、時針ＨＮと分針ＭＮの他方の針であり、第３の時計針３０は、秒針ＳＮである。第１の時計針１０と、第２の時計針２０と、第３の時計針３０は、例えば図３に示すように、所与の軸ＲＡを介して文字盤５０に固定される。所与の軸ＲＡは、文字盤５０において文字盤目盛５５が設けられる第１の面ＳＦ１に対して垂直に設けられる軸であり、第１の面ＳＦ１と平行な方向ＹＪに回転可能である。これにより、図３に示すように、時刻を表示することができる。
【００３９】
文字盤（表示面）５０は、例えば図２の例のように、ユーザーから視認可能な位置に、筐体７０に設けられ、文字盤目盛５５を有する面である。文字盤目盛５５は、測定値の測定範囲を表す表示である。文字盤目盛５５は、例えば文字盤５０にプリントされたものであってもよいし、文字盤５０に設けられた突起や刻印であってもよいし、シール等であってもよい。また、文字盤５０が、例えば液晶ディスプレイなどの表示部である場合には、文字盤目盛５５は、表示部に表示された画像であってもよい。
【００４０】
処理部１１０は、第１の時計針１０、第２の時計針２０及び第３の時計針３０の回転を制御する。処理部１１０は、ＣＰＵ（Central Processing Unit）、ＧＰＵ（Graphics Processing Unit）、ＤＳＰ（Digital Signal Processor）、或いはＡＳＩＣ（application specific integrated circuit）によるハードウェア回路等、種々の構成により実現されるプロセッサーであってもよい。図１においては不図示であるが、ウェアラブル端末装置１００は、第１の時計針１０〜第３の時計針３０を回転駆動する駆動機構を有している。そして、処理部１１０は、その駆動機構を制御して、第１の時計針１０〜第３の時計針３０を所定の位置に配置する制御を行う。この場合、処理部１１０は、駆動機構を駆動させるアナログ回路を含んでいてもよい。
【００４１】
測定値取得部１２０は、測定値を取得する。例えば、測定値取得部１２０は、測定値として、生体検出情報、活動検出情報及び環境検出情報のうちの少なくとも１つの情報を取得する。
【００４２】
生体検出情報は、例えばウェアラブル端末装置１００の装着者（ユーザー）の生体に関する情報である。生体検出情報は、ウェアラブル端末装置１００に設けられた脈波センサー等により測定されたセンサー検出情報や、ユーザーにより入力された情報などである。具体的に生体検出情報としては、脈拍数（脈波、脈拍）や血圧に関する情報などが挙げられる。測定値取得部１２０が生体検出情報を取得する場合には、測定値取得部１２０は脈波センサー等の生体センサーであってもよい。
【００４３】
活動検出情報は、例えばウェアラブル端末装置１００の装着者（ユーザー）の活動結果に関する情報である。活動検出情報は、ウェアラブル端末装置１００に設けられた加速度センサー等により測定されたセンサー検出情報や、ユーザーにより入力された情報などである。具体的に活動検出情報としては、歩数や移動距離に関する情報などが挙げられる。測定値取得部１２０が活動検出情報を取得する場合には、測定値取得部１２０は加速度センサー等であってもよい。
【００４４】
環境検出情報は、例えばウェアラブル端末装置１００の周囲の環境に関する情報である。具体的に環境検出情報としては、例えば気温、湿度、標高、気圧、方位（方向）に関する情報などが挙げられ、それぞれ、ウェアラブル端末装置１００に設けられた温度センサー、湿度センサー、気圧センサー、方位センサー等により取得される。また、環境検出情報は、ウェアラブル端末装置１００とネットワークを介して接続される電子機器（例えばサーバー等）から取得可能な情報などであってもよい。測定値取得部１２０が環境検出情報を取得する場合には、測定値取得部１２０は、温度センサー、湿度センサー、気圧センサー、方位センサー等であってもよい。
【００４５】
測定値取得部１２０は、複数のセンサーを含んでいても良い。また、測定値取得部１２０は、各種センサーと通信接続され、各種センサーからセンサー情報を受信する通信部であってもよい。
【００４６】
これにより、時刻以外の情報、すなわち生体検出情報、活動検出情報及び環境検出情報のうちの少なくとも１つの情報を表示すること等が可能になる。
【００４７】
操作部材１５０は、例えば所与の回転軸の周りに回転可能な部材である。例えば前述したように、操作部材１５０は、回転ベゼル１５１と、リューズ１５２とを含む。ただし、操作部材１５０は、これらに限定されず、例えばボタンやスイッチ等であってもよい。
【００４８】
回転ベゼル１５１は、筐体７０（狭義には文字盤５０）の枠に相当する部材であり、筐体７０の周縁部、特に文字盤５０の外周に相当する位置に設けられる。特に、本実施形態に係る回転ベゼル１５１は、所与の軸を回転軸として回転可能な回転ベゼルである。ここで、所与の軸は、例えば、文字盤５０に交差する方向の軸であって、狭義には、例えば図３に示すように文字盤５０の文字盤目盛５５が設けられる第１の面ＳＦ１に直交する方向の軸などである。ただし、本実施形態の手法では、回転ベゼルの替わりに他の回転部材を用いてもよい。
【００４９】
リューズ（竜頭、クラウン）１５２は、図２に示すように、例えば筐体７０の側面部に設けられた突起部である。リューズ１５２は、所与の軸を回転軸として回転可能である。ここで、所与の軸は、例えば筐体７０の側面部に交差する方向の軸であって、狭義には筐体７０の側面部に直交する方向の軸などである。また、リューズ１５２は、例えば押し込んだり、引っ張ったりするなど、筐体７０の側面部に対して位置が可変であってもよい。ただし、本実施形態の手法では、リューズ１５２の替わりに、ボタンやスイッチなどの他の部材を用いてもよい。
【００５０】
検出部１３０は、操作部材１５０を用いた操作を検出する。例えば検出部１３０は、所与の回転軸の周りに回転可能な操作部材１５０の回転操作を検出する。例えば操作部材１５０が回転ベゼル１５１を含む場合、ウェアラブル端末装置１００は検出部１３０として不図示のパルス数検出センサーを有していてもよい。そして、回転ベゼル１５１の下面に所与の光学パターンを設け、パルス数検出センサーが、回転ベゼル１５１の下面に対して光を照射し、当該光の反射光を検出する。このようにすれば、パルス数検出センサーで検出されるパルス数が回転ベゼル１５１の回転量と相関を有することになるため、センサー情報に基づいて回転ベゼル１５１の回転状態（狭義には回転方向及び回転量）を検出することが可能になる。ただし、本実施形態における回転ベゼルの回転状態の検出手法はこれに限定されず、広く知られた他の回転ベゼルの回転状態検出手法（例えば機械的な構造により検出する手法等）を広く適用可能である。そのため、本実施形態の検出部１３０は種々の手法で用いられる種々のセンサー等による実現が可能である。また、リューズ１５２の回転を検出する場合についても同様である。
【００５１】
３．処理の詳細
次に、本実施形態の処理の詳細について説明する。本実施形態のウェアラブル端末装置１００は、前述したように、時刻を表示する時刻表示モードと、時刻以外の情報を表示するモードに設定することが可能である。例えば、前述した図３には、時刻表示モードに設定された場合の文字盤と、第１の時計針と、第２の時計針と、第３の時計針とを図示している。また、図３の例では、文字盤の第１の面ＳＦ１に、設定されているモードを表示する小窓ＳＷが設けられている。そして、本例では、時刻表示モードに設定されていることをユーザーに示すため、小窓ＳＷにその日の日付けを表す数字情報ＧＩ１（「２８」）が表示されている。この数字情報をユーザーが確認することにより、現在、ウェアラブル端末装置１００が時刻表示モードに設定されていることを、ユーザーが把握することができる。
【００５２】
そして、図３の例では、例えば第１の時計針が時針ＨＮであり、目盛ＴＭを１周で１２時間を表す目盛として用いて、現在時刻を指し示している。また、例えば第２の時計針は分針ＭＮであり、目盛ＴＭを１周で１時間を表す目盛として用いて、現在時刻を指し示している。そして、例えば第３の時計針は秒針ＳＮであり、目盛ＴＭを１周で１分を表す目盛として用いて、現在時刻を指し示している。
【００５３】
次に、ウェアラブル端末装置１００が、時刻以外の情報（各種測定値）を表示するモードに設定された場合の処理について説明する。その場合、処理部１１０は、文字盤目盛５５において、測定値の下限値に対応する位置に第１の時計針１０を配置（設定）し、測定値の上限値に対応する位置に第２の時計針２０を配置（設定）し、測定値に対応する位置に第３の時計針３０を配置（設定）する制御を行う。なお、処理部１１０（プロセッサー）で行われる本実施形態の各処理は、不図示の記憶部（メモリー）に記憶される情報（各種データ又はプログラム）に基づき実行される。
【００５４】
例えば、図４を用いて具体例を説明する。図４は、脈拍数（心拍数、ＢＰＭ）を表示する例である。すなわち、図４の例では、ウェアラブル端末装置１００が、後述する脈拍表示モードに設定されている。そして、脈拍表示モードに設定されている場合には、処理部１１０は、脈拍表示モードに設定されていることを示す情報ＧＩ３を、小窓ＳＷに表示させる。ユーザーはこの情報ＧＩ３を視認することにより、現在、ウェアラブル端末装置１００が脈拍表示モードに設定されていることを知ることができる。
【００５５】
そして、図４の例では、時針ＨＮと分針ＭＮにより、例えば運動時に脂肪燃焼効率が良くなる範囲（測定範囲）を指し示す。図４の例における測定範囲は、測定可能な範囲ではなく、測定値がその範囲内の値を取り得ることが望ましい範囲である。すなわち、図４の例の測定範囲の上限値は、運動時の脈拍数の理想的な上限を表す値であり、図４の例の測定範囲の下限値は、運動時の脈拍数の理想的な下限を表す値である。ただし、測定範囲は、例えば図４の例では、被検体が健康な状態において脈拍数が通常取り得る範囲であってもよい。また、測定範囲は、測定値を測定可能な範囲であってもよいし、又は後述する図５及び図６の例のように測定値が取り得る範囲であってもよい。
【００５６】
具体的に図４の例では、処理部１１０が、文字盤目盛ＶＭにおいて、脈拍数の理想的な上限値を指し示すように、時針ＨＮの回転を制御し、脈拍数の理想的な下限値を指し示すように、分針ＭＮの回転を制御する。これにより、例えば図４の例において、ユーザーは、運動時の脈拍数の理想的な測定範囲が５５付近〜１５０前後であると識別することができる。
【００５７】
そして、図４の例では、秒針ＳＮにより、測定された脈拍数を指し示す。具体的には、処理部１１０が、文字盤目盛ＶＭにおいて、脈拍数の測定値を指し示すように秒針ＳＮの回転を制御する。よって、ユーザーは、秒針ＳＮが指し示す値を読み取ることにより、脈拍数の測定値を知ることができる。
【００５８】
さらに、本実施形態では、後述する図５及び図６に示すように、時刻や脈拍数以外の情報を表示する場合にも、図４の例と同様に、第１の時計針（分針ＭＮ）と、第２の時計針（時針ＨＮ）と、第３の時計針（秒針ＳＮ）と、同一の文字盤目盛ＶＭとにより、測定範囲と測定値を表示する。
【００５９】
本実施形態では、例えば文字盤の全体に大きく配置された文字盤目盛により測定値を表示するため、ユーザーが測定値を判別することが容易である。また、文字盤目盛と３つの時計針の他に、測定値を表示するための表示用部材を設ける必要もない。よって、文字盤目盛や指針の数を増やさずに、ユーザーが判別しやすいように複数の情報を表示することが可能となる。
【００６０】
このように、本実施形態のウェアラブル端末装置１００は、時刻情報を含む複数の情報を表示する際に、一つの文字盤目盛５５を共用するため、種類が異なる情報毎に異なる文字盤目盛を用意する必要がない。従って、ウェアラブル端末装置１００の製造コストを低減すること等が可能になる。
【００６１】
また、同一の文字盤目盛を用いるため、表示する情報を変更した時に、ユーザーがどの文字盤目盛に注目すればよいか迷うこともない。そして、指針（時計針）がどの文字盤目盛に対応する値を指し示しているのか判別し辛くなることもない。
【００６２】
さらに、文字盤に、種類が異なる情報毎に小窓を設ける必要がなく、表示される情報が小さくなることも防ぐことができる。また、小窓を設ける必要がなくなったため、文字盤のデザインの自由度を広げることができる。さらに、文字盤の製造コストを低減することもできる。
【００６３】
また、前述したように、処理部１１０は、第１の測定値を表示する第１の表示モードと、第２の測定値を表示する第２の表示モードとの切り替え処理を行う。そして、第１の表示モードと第２の表示モードでは、文字盤目盛５５における第１の時計針１０及び第２の時計針２０の配置位置が異なる。
【００６４】
これにより、少なくとも２種類の情報の測定値を表示すること等が可能になる。
【００６５】
例えば、第１の表示モード及び第２の表示モードは、高度表示モード、気圧表示モード、脈拍表示モード、歩数表示モード及び距離表示モードのうちのいずれか２つの表示モードである。
【００６６】
前述した図４の例は、脈拍表示モードに設定されている場合の例である。例えば、第１の表示モードが図４の脈拍表示モードである場合には、第１の測定値は脈拍数（ｂｐｍ）である。そして、図５の例は、気圧表示モードに設定されている場合の例である。例えば第２の表示モードが図５の気圧表示モードである場合には、第２の測定値は気圧（ｈＰａ）である。
【００６７】
また、本実施形態では、ウェアラブル端末装置１００が２つ以上の表示モードに切り替え可能であってもよい。例えば図６の例は、高度表示モードに設定されている場合の例であり、この場合に表示される測定値は高度（標高）（ｍ）である。また、歩数表示モードと距離表示モードは不図示であるが、例えば歩数表示モードに設定されている場合には、測定値として歩数（歩）が表示され、距離表示モードに設定されている場合には、測定値として例えば移動距離（ｋｍ）が表示される。
【００６８】
さらに、本実施形態のウェアラブル端末装置１００は、図７を用いて後述する方位表示モードや、図８を用いて後述する計測時間表示モード（ストップウォッチモード）にも設定可能である。例えば方位表示モードに設定されている場合には、測定値として方位が表示され、計測時間表示モードに設定されている場合には、ストップウォッチ機能により計測された計測時間が測定値として表示される。
【００６９】
これにより、例えば高度、気圧、脈拍数、歩数及び移動距離のうち、少なくとも２つの測定値を表示すること等が可能になる。
【００７０】
また、処理部１１０は、検出部１３０により、操作部材１５０の回転操作が検出された場合に、第１の表示モードと第２の表示モードとの切り替え処理を行う。例えば回転操作は、回転ベゼルの回転操作や、前述した図４に示すリューズＲＳの回転操作などである。
【００７１】
これにより、ユーザーが、回転ベゼルやリューズを回転させる簡易な操作を行うことで、表示モードを切り替えること等が可能になる。
【００７２】
そして、前述したように、表示モードが切り替えられた場合には、例えば文字盤に設けられた小窓等に、切り替え後の表示モードを指し示すガイド情報を表示する。例えば図４の例では、小窓ＳＷに脈拍表示モードであることを示すハート型のアイコン画像と、「ＢＰＭ」というテキストからなるオブジェクトＧＩ２を、ガイド情報として表示する。
【００７３】
同様に、例えば図５の例では、小窓ＳＷに気圧表示モードであることを示す雲と太陽のアイコン画像と、「ＨＰＡ」というテキストからなるオブジェクトＧＩ３を、ガイド情報として表示する。さらに、例えば図６の例では、小窓ＳＷに高度表示モードであることを示す山のアイコン画像と、「Ｍ」というテキストからなるオブジェクトＧＩ３を、ガイド情報として表示する。
【００７４】
また、第１の表示モードと第２の表示モードでは、異なる測定範囲を表示するために、第１の時計針と第２の時計針を２つの表示モード間で異なる位置に配置する。すなわち、処理部１１０は、第１の表示モードでは、第１の測定値に対応する第１の測定範囲の下限値に対応する位置に第１の時計針１０を配置し、第１の測定範囲の上限値に対応する位置に第２の時計針２０を配置する制御を行う。一方、処理部１１０は、第２の表示モードでは、第２の測定値に対応する第２の測定範囲の下限値に対応する位置に第１の時計針１０を配置し、第２の測定範囲の上限値に対応する位置に第２の時計針２０を配置する制御を行う。
【００７５】
例えば前述した例のように、第１の表示モードが図４の脈拍表示モードであり、第２の表示モードが図５の気圧表示モードである場合には、第１の測定値は脈拍数（ｂｐｍ）であり、第２の測定値は気圧（ｈＰａ）である。そして、例えば測定範囲の下限値を指し示す第１の時計針１０が分針ＭＮであり、測定範囲の上限値を指し示す第２の時計針２０が時針ＨＮであるものとする。この時、図４の例では、処理部１１０が、文字盤目盛ＶＭにおいて、脈拍数の理想的な上限値（例えば１５０前後）を指し示すように時針ＨＮを配置し、脈拍数の理想的な下限値（例えば５５付近）を指し示すように分針ＭＮを配置する。一方、図５の例では、処理部１１０が、文字盤目盛ＶＭにおいて、気圧の上限値（例えば１６００付近）を指し示すように時針ＨＮを配置し、気圧の下限値（例えば６７５付近）を指し示すように分針ＭＮを配置する。
【００７６】
これにより、第１の時計針と第２の時計針により、各測定値に適した（対応する）測定範囲を表示すること等が可能になる。なお、測定範囲の上限値と下限値を表示するために、上記のように２つの時計針を使う手法以外にも、文字盤５０や文字盤目盛５５の一部を点灯させたり、消灯させたりする手法が考えられる。
【００７７】
また、本実施形態では、図４〜図６に示すように、時針ＨＮ、分針ＭＮ、秒針ＳＮと、共用の文字盤目盛ＶＭとを用いて複数の種類の測定値を表示し、測定範囲は測定値の種類毎に異なっている。例えば、前述した図４の脈拍表示モードにおける測定範囲は、文字盤目盛ＶＭの５５〜１５０の範囲であり、図５の気圧表示モードにおける測定範囲は、文字盤目盛ＶＭの６７５〜１６００の範囲である。また、図６の高度表示モードにおける測定範囲は、文字盤目盛ＶＭの０〜８０００の範囲である。
【００７８】
このように、表示モード毎に測定範囲の幅が異なっているため、共通で使用する文字盤目盛ＶＭの１目盛により表される数値を同じ数値にすると、時針ＨＮと分針ＭＮが指し示す測定範囲が狭くなり過ぎる場合がある。例えば、図４の脈拍数の測定範囲と図６の高度の測定範囲を数値で比較した場合、脈拍数の測定範囲は高度の測定範囲の約１／８０である。そのため、文字盤目盛ＶＭの１目盛により表される数値を同じ数値にすると、時針ＨＮと分針ＭＮで示される脈拍数の測定範囲が視認し辛くなる。
【００７９】
従って、本実施形態では、文字盤目盛５５の１目盛により表される数値を、所与の範囲毎に異なる値にする。つまり、文字盤目盛５５は、文字盤５０の第１の範囲と第２の範囲とで、１目盛により表される数値の大きさが異なる。
【００８０】
例えば、図４〜図６に示す文字盤目盛ＶＭは、第１の範囲ＲＧ１〜第４の範囲ＲＧ４を有しており、第１の範囲ＲＧ１〜第４の範囲ＲＧ４の各範囲で、１目盛により表される数値の大きさが異なる。具体的には、第１の範囲ＲＧ１では、１目盛により表される数値が５であり、第２の範囲ＲＧ２では、１目盛により表される数値が５０である。そして、第３の範囲ＲＧ３では、１目盛により表される数値は１００であり、第４の範囲ＲＧ４では、１目盛により表される数値は２５０である。
【００８１】
このように、測定値の数値変動が比較的小さい測定範囲では、文字盤目盛ＶＭの１目盛により表される数値を小さくし、測定値の数値変動が比較的大きい測定範囲では、文字盤目盛ＶＭの１目盛により表される数値を大きくすることが望ましい。
【００８２】
具体的に図４の例では、数値変動が比較的小さい脈拍数の測定範囲が、第１の範囲ＲＧ１内に含まれるように、文字盤目盛ＶＭを設けている。そして、図５の例では、数値変動が比較的大きい気圧の測定範囲が、第２の範囲ＲＧ２と第３の範囲ＲＧ３にまたがるように、文字盤目盛ＶＭを設けている。また、図６の高度表示モードでは、高度の測定範囲が広いため、第１の範囲ＲＧ１〜第４の範囲ＲＧ４の全範囲を、高度の測定範囲として利用している。
【００８３】
これにより、複数種類の測定値を共用の文字盤目盛で表示する場合でも、各測定値と測定範囲を読み取りやすくすること等が可能になる。
【００８４】
また、本実施形態では、前述してきたように、時針ＨＮ、分針ＭＮ、秒針ＳＮにより、測定値と測定範囲を表示する。多くの場合、時針ＨＮ、分針ＭＮ、秒針ＳＮは、図３に示すように、円状に配置された時間を表す目盛ＴＭを指し示すことができるように設けられている。
【００８５】
そこで、本実施形態では、各種測定値を表示するための文字盤目盛５５も、文字盤５０に円状又は円弧状に配置する。例えば図４〜図６に示すように、文字盤において、時間を表す目盛ＴＭの内側（又は外側）に、文字盤目盛ＶＭが円状に配置される。
【００８６】
これにより、時針、分針、秒針を利用して、測定値と測定範囲を表示すること等が可能になる。つまり、時針、分針及び秒針の構成を通常の時計と大きく変更することなく、測定値と測定範囲を表示すること等が可能になる。
【００８７】
また、前述したように、本実施形態では、上記の表示モードの他にも、方位表示モードに設定することも可能である。具体例を図７に示す。図７に示すように、方位表示モードに設定可能である場合には、筐体ＣＳの周縁部（又は文字盤の周縁部）に、方位を表す表示物ＤＭが設けられている。この表示物ＤＭは、筐体ＣＳの周縁部等に設けられた刻印又は突起であってもよいし、印刷されたプリントであってもよいし、シール等であってもよい。
【００８８】
そして、ユーザーがリューズＲＳを操作して、方位表示モードに設定すると、方位表示モードに設定されたことを示す方位磁針の形のアイコン画像ＧＩ５が、小窓ＳＷに表示される。さらに、処理部１１０は、例えば方位センサー等により測定された方位検出情報に基づいて、時針ＨＮと分針ＭＮと秒針ＳＮが例えば真北を指すように、時針ＨＮと分針ＭＮと秒針ＳＮを配置する制御を行う。ユーザーは、３つの時計針が指し示す位置が、方位を表す表示物ＤＭのうち、北を表す表示（Ｎ）に対応する位置になるように、ウェアラブル端末装置１００の向きを変更する。そして、３つの時計針が指し示す位置が、表示物ＤＭの北を表す表示（Ｎ）に対応する位置になった時に、ユーザーは、表示物ＤＭを確認することにより、ウェアラブル端末装置１００が真北を向いた状態での方位を知ることができる。
【００８９】
さらに、本実施形態では、図８に示すように、計測時間表示モード（ストップウォッチモード）に設定することも可能である。計測時間表示モードでは、図８に示すように、ユーザーがリューズＲＳを操作して、計測時間表示モードに設定すると、計測時間表示モードに設定されたことを示すストップウォッチ形のアイコン画像ＧＩ６が、小窓ＳＷに表示される。そして、その後、ユーザーがリューズＲＳを押下するなどの操作を行うと、計測が開始され、処理部１１０が計測時間を表す位置に各時計針（時針ＨＮ、分針ＭＮ、秒針ＳＮ）を配置する処理を行う。計測時間は、時刻を表す目盛ＴＭを各時計針が指し示すことにより表示される。さらに、ユーザーがリューズＲＳを再び押下するなどの操作を行うと、計測が停止される。そしてユーザーは、各時計針が指し示す値を読み取ることにより、計測時間を知ることができる。
【００９０】
４．変形例
次に、本実施形態の変形例について説明する。
【００９１】
本実施形態の変形例では、ウェアラブル端末装置１００は、図９に示すように、第４の時計針４０と、第４の時計針４０に対応して設けられ、複数のアイコンが設けられたアイコン領域６０と、を含む。
【００９２】
そして、処理部１１０は、アイコン領域６０において、複数のアイコンのうち、選択されたアイコンに対応する位置に第４の時計針４０を配置する制御を行う。
【００９３】
具体例を図１０に示す。図１０の例では、アイコン領域ＡＢは、例えば文字盤ＣＢの一部に開口された小窓に対応する位置に設けられる。つまり、文字盤ＣＢに小窓が開口されており、その下にアイコン領域ＡＢが設けられる。そして、文字盤ＣＢに小窓が開口されていることにより、文字盤ＣＢの下方に設けられたアイコン領域ＡＢを、ユーザーが視認可能になっている。ただし、アイコン領域ＡＢは、図１０の例に示す構成には限定されない。例えば、アイコン領域ＡＢは、文字盤ＣＢの所与の領域であってもよいし、文字盤ＣＢの上に設けられた板状の部材等であってもよく、種々の変形実施が可能である。
【００９４】
そして、図１０のアイコン領域ＡＢには、昼夜を示すアイコンＡＣが設けられている。このアイコンＡＣは、アイコン領域ＡＢに設けられた刻印又は突起であってもよいし、アイコン領域ＡＢに印刷されたプリントであってもよいし、シール等であってもよい。また、アイコン領域が液晶ディスプレイにより構成される場合には、アイコンは液晶ディスプレイに表示される画像であってもよい。
【００９５】
さらに、図１０の例では、アイコン領域ＡＢに対応する位置に第４の時計針ＡＮを有している。そして、処理部１１０は、現在の時刻に基づいて、昼であるか、夜であるかを判定し、判定結果に対応するアイコンを指し示すように第４の時計針ＡＮを配置する処理を行う。これにより、ユーザーは、現在時刻を表示させつつ、現在、昼であるか夜であるかを知ることができる。
【００９６】
また、アイコン領域に表示する内容は図１０の例には限定されない。例えば、図１１に示す例では、アイコン領域ＡＢに天候（天気）を表すアイコンＡＣが設けられている。具体的に図１１の例では、天候（天気）を表すアイコンとして、晴れのアイコン、曇りのアイコン、雨のアイコンが設けられている。そして、処理部１１０は、例えば測定値取得部１２０により取得された天候情報に基づいて、現在の天候に対応するアイコンを指し示すように、第４の時計針ＡＮを配置する処理を行う。これにより、ユーザーは現在時刻を表示させつつ、現在の天候を知ることができる。
【００９７】
さらに、例えば図１２に示す例では、アイコン領域ＡＢに音楽のオン・オフを表すアイコンＡＣが設けられている。そして、処理部１１０は、例えば現在の音楽の再生状態に対応するアイコンを指し示すように、第４の時計針ＡＮを配置する処理を行う。これにより、ユーザーは現在の音楽の再生状態を知ることができる。
【００９８】
また、その他にも図１３に示す例のように、アイコン領域ＡＢに脈拍数の大きさを示すアイコンＡＣを設ける変形実施等も可能である。その場合には、処理部１１０が、取得された脈拍数の大きさに対応する位置に、第４の時計針ＡＮを配置する処理を行う。
【００９９】
これにより、ユーザーが、第１の時計針〜第３の時計針により時刻を確認しつつ、同時に他の情報を確認すること等が可能になる。
【０１００】
また、本実施形態の変形例では、ウェアラブル端末装置１００は、図１４に示すように、図１で示した構成に加えて、第４の時計針４０と、第４の時計針４０に対応して設けられ、第２の文字盤目盛６５を有する第２の文字盤６３と、をさらに含むこともできる。
【０１０１】
そして、処理部１１０は、第２の文字盤６３の第２の文字盤目盛６５において、測定値に対応する位置に第４の時計針４０を配置する制御を行う。
【０１０２】
例えば、図１５の例では、ウェアラブル端末装置１００が、高度を表す第２の文字盤目盛を有する第２の文字盤ＣＢ２を有している。この第２の文字盤目盛は、現在の高度を８段階のレベル（ゾーン）に分けて表示するものである。この場合にも、処理部１１０は、取得した高度情報に基づいて、第４の時計針４０が現在の高度に対応するレベルを指し示すように、第４の時計針４０を配置する処理を行う。これにより、ユーザーは現在時刻を表示させつつ、現在の高度が８段階のレベルのうち、どのレベルに相当するかを知ることができる。
【０１０３】
また、図１６に示すように、第２の文字盤ＣＢ２は、計測時間を表す第２の文字盤目盛を有していてもよい。この場合には、例えばユーザーがリューズＲＳを回転させることにより、ウェアラブル端末装置１００が、前述した計測時間表示モードに設定される。そして、ウェアラブル端末装置１００の筐体に設けられたボタンＢＴ１をユーザーが押下することで、時間の計測が開始される。そして、処理部１１０は、第４の時計針ＡＮが第２の文字盤目盛において計測時間を指し示すように、第４の時計針を配置する処理を行う。さらに、ユーザーがボタンＢＴ２を押下すると、時間の計測が停止される。これにより、ユーザーは現在時刻を確認しながら、時間を計測することができる。
【０１０４】
これにより、ユーザーが、第１の時計針〜第３の時計針により時刻を確認しつつ、同時に他の測定値の数値を確認すること等が可能になる。
【０１０５】
また、図１０〜図１３、図１５、図１６を用いて図示した例は、例えばウェアラブル端末装置１００の筐体に設けられたリューズＲＳを操作することにより、互いに切り替え可能であってもよい。つまり、例えば最初の状態が図１０に示す昼夜を表示するモードであり、この状態でリューズＲＳを回転させると、図１１に示す天候を表示するモードになってもよい。そして、例えばさらにリューズＲＳを回転させると、図１２に示す高度のレベルを表示させるモードになってもよい。第４の時計針を用いる表示モードの遷移パターンは、種々の変形実施が可能である。
【０１０６】
さらに本変形例は、処理部１１０が第４の時計針を制御する際に、第１の時計針〜第３の時計針が常に時刻を表示していることには限定されない。例えば、処理部１１０が第４の時計針を制御する際に、前述した図４〜図６の例のように、第１の時計針〜第３の時計針が脈拍数や気圧、高度等の測定値を表示する組み合わせも可能である。
【０１０７】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、ウェアラブル端末装置の構成、動作も本実施形態で説明したものに限定されず、種々の変形実施が可能である。
【符号の説明】
【０１０８】
１０…第１の時計針、２０…第２の時計針、３０…第３の時計針、４０…第４の時計針、
５０…文字盤、５５…文字盤目盛、６０…アイコン領域、６３…第２の文字盤、
６５…第２の文字盤目盛、７０…筐体、８０…バンド部、
１００…ウェアラブル端末装置（腕時計型端末装置）、１１０…処理部、
１２０…測定値取得部、１３０…検出部、１５０…操作部材、１５１…回転ベゼル、
１５２…リューズ
【図１】
2017078675.tif 000003
【図２】
2017078675.tif 000004
【図３】
2017078675.tif 000005
【図４】
2017078675.tif 000006
【図５】
2017078675.tif 000007
【図６】
2017078675.tif 000008
【図７】
2017078675.tif 000009
【図８】
2017078675.tif 000010
【図９】
2017078675.tif 000011
【図１０】
2017078675.tif 000012
【図１１】
2017078675.tif 000013
【図１２】
2017078675.tif 000014
【図１３】
2017078675.tif 000015
【図１４】
2017078675.tif 000016
【図１５】
2017078675.tif 000017
【図１６】
2017078675.tif 000018